(57)【要約】【課題】排出ローラとスイッチバックローラとを別々に設けた画像形成装置において、スイッチバックを安定させることを目的とする。【解決手段】画像形成装置（複合機１）は、第１排紙トレイ２１および第２排紙トレイ２２を有する本体筐体２と、画像形成部を通過した記録シートを第１排紙トレイ２１に排出するための排出ローラ８２と、正方向に回転しているときに、記録シートを第２排紙トレイ２２に向けて搬送し、逆方向に回転しているときに、第２排紙トレイ２２に向けて搬送した記録シートを、再搬送ガイド部（再搬送機構１２０）へ搬送するスイッチバックローラ９２を備える。本体筐体２は、スイッチバックローラ９２によって第２排紙トレイ２２に向けて搬送される記録シートの搬送方向に延び、第２排紙トレイ２２の記録シートの載置面２２Ｆから突出して、第２排紙トレイ２２をその間に挟むように配置される一対の壁（サイドフレーム２Ｓ）を有する。【選択図】図１
2016080907.tif 000002
【特許請求の範囲】
【請求項１】
第１排紙トレイおよび第２排紙トレイを有する本体筐体と、
記録シートに画像を形成するための画像形成部と、
前記画像形成部を通過した記録シートを前記第１排紙トレイに排出するための排出ローラと、
前記画像形成部を通過した記録シートを表裏反転して再度前記画像形成部に向けて搬送するための再搬送ガイド部と、
前記第２排紙トレイに対して前記排出ローラの反対側に配置され、正逆回転可能なスイッチバックローラであって、
当該スイッチバックローラが正方向に回転しているときに、前記画像形成部を通過した記録シートを前記第２排紙トレイに向けて搬送し、
当該スイッチバックローラが逆方向に回転しているときに、前記第２排紙トレイに向けて搬送した記録シートを、前記再搬送ガイド部へ搬送するように構成されるスイッチバックローラと、を備え、
前記本体筐体は、前記スイッチバックローラによって前記第２排紙トレイに向けて搬送される記録シートの搬送方向に延び、前記第２排紙トレイの記録シートの載置面から突出して、前記第２排紙トレイをその間に挟むように配置される一対の壁を有することを特徴とする画像形成装置。
【請求項２】
前記スイッチバックローラと前記第２排紙トレイとの間に配置され、前記スイッチバックローラから前記第２排紙トレイに向けて記録シートを案内するためのガイドをさらに備え、
前記ガイドは、前記スイッチバックローラの回転軸線方向から見て、前記壁と重なっていることを特徴とする請求項１に記載の画像形成装置。
【請求項３】
前記一対の壁の上端は、前記ガイドの上端よりも上方に位置することを特徴とする請求項２に記載の画像形成装置。
【請求項４】
前記本体筐体は、前記スイッチバックローラの上方に配置される第３排紙トレイを有し、
前記ガイドは、前記記録シートを前記第２排紙トレイに搬送するための第１位置と、前記記録シートを前記第３排紙トレイに搬送するための第２位置とに変位可能であることを特徴とする請求項２に記載の画像形成装置。
【請求項５】
前記第３排紙トレイは、鉛直方向に延びていることを特徴とする請求項４に記載の画像形成装置。
【請求項６】
前記第３排紙トレイの上部は、鉛直方向に対して傾斜していることを特徴とする請求項５に記載の画像形成装置。
【請求項７】
前記ガイドは、櫛歯形状部を有し、
前記第３排紙トレイは、前記ガイドの前記櫛歯形状部が入り込む複数のスリットを有していることを特徴とする請求項４から請求項６のいずれか１項に記載の画像形成装置。
【請求項８】
原稿を読み取るための読取部をさらに備え、
前記読取部は、前記一対の壁で支持されていることを特徴とする請求項１から請求項７のいずれか１項に記載の画像形成装置。
【請求項９】
前記読取部と前記第２排紙トレイとの間に、前記一対の壁を連結する連結壁を備え、
前記連結壁には、前記一対の壁に沿う方向に空気を通過させるための開口を備えることを特徴とする請求項８に記載の画像形成装置。
【請求項１０】
前記壁の前記搬送方向における下流端は、前記排出ローラに対して前記第１排紙トレイ側にあることを特徴とする請求項１から請求項９のいずれか１項に記載の画像形成装置。
【請求項１１】
前記壁の前記載置面からの高さは、１０ｍｍ以上１００ｍｍ以下であることを特徴とする請求項１から請求項１０のいずれか１項に記載の画像形成装置。
【請求項１２】
前記壁の前記載置面からの高さは、２０ｍｍ以上８０ｍｍ以下であることを特徴とする請求項１から請求項１０のいずれか１項に記載の画像形成装置。
【請求項１３】
前記壁の前記搬送方向における長さは、２０ｍｍ以上２００ｍｍ以下であることを特徴とする請求項１から請求項１２のいずれか１項に記載の画像形成装置。
【請求項１４】
前記壁の前記搬送方向における長さは、４０ｍｍ以上１６０ｍｍ以下であることを特徴とする請求項１から請求項１２のいずれか１項に記載の画像形成装置。
【請求項１５】
前記第２排紙トレイは、前記搬送方向上流端に配置され、上方に突出する複数のリブを有することを特徴とする請求項１から請求項１４のいずれか１項に記載の画像形成装置。
【請求項１６】
前記複数のリブは、それぞれ、
その上面が水平方向に延びる第１部分と、
前記第１部分の上面の前記搬送方向下流端から斜め下方に向けて傾斜する傾斜面を有する第２部分と、
前記第１部分の上面の前記搬送方向上流端から下方に円弧状に屈曲して前記スイッチバックローラまで延びる面を有する第３部分と、を有していることを特徴とする請求項１５に記載の画像形成装置。
【請求項１７】
前記ガイドは、
回動軸と、
前記回動軸の両端部から当該回動軸の径方向に向けて延びる一対の延出部と、
各前記延出部の前記径方向の外側端部を繋ぐ連結部と、
前記連結部から前記径方向に交差する方向に延びる複数のガイド部と、を有していることを特徴とする請求項２に記載の画像形成装置。
【請求項１８】
前記第２排紙トレイは、前記搬送方向における下流端から前記搬送方向における下流側に延び、上下方向から見たときに第１排紙トレイと重なる第２リブを備えている請求項１から請求項１７に記載の画像形成装置。
【請求項１９】
前記第２リブは、前記排出ローラの軸方向において両側に配置されている請求項１８に記載の画像形成装置。
【発明の詳細な説明】
【技術分野】
【０００１】
本発明は、画像形成部から排出された記録シートを表裏反転して再度画像形成部に向けて搬送するように構成される再搬送機構を備えた画像形成装置に関する。
【背景技術】
【０００２】
従来、画像形成装置として、画像の形成が完了した記録シートを支持する排出トレイと、排出トレイに記録シートを排出する排出ローラと、排出ローラとは別に設けられ、かつ、記録シートをスイッチバックさせるためのスイッチバックローラと、スイッチバックローラによるスイッチバック中において記録シートを支持するスイッチバック用トレイとを備えたものが知られている（特許文献１参照）。
【先行技術文献】
【特許文献】
【０００３】
【特許文献１】特開２０１４−０４８３１５号公報
【発明の概要】
【発明が解決しようとする課題】
【０００４】
しかしながら、前述したスイッチバック用トレイは、単に板状に形成されているため、スイッチバック用トレイで支持されている記録シートが幅方向に動いてしまい、記録シートのスイッチバックを安定して行うことができないおそれがあった。特に、記録シートがＡ３サイズなどの長いシートである場合には、このような問題が顕著に生じるおそれがあった。
【０００５】
そこで、本発明は、排出ローラとスイッチバックローラとを別々に設けた画像形成装置において、記録シートのスイッチバックを安定して行うことを目的とする。
【課題を解決するための手段】
【０００６】
前記課題を解決するため、本発明に係る画像形成装置は、第１排紙トレイおよび第２排紙トレイを有する本体筐体と、記録シートに画像を形成するための画像形成部と、前記画像形成部を通過した記録シートを前記第１排紙トレイに排出するための排出ローラと、前記画像形成部を通過した記録シートを表裏反転して再度前記画像形成部に向けて搬送するための再搬送ガイド部と、前記第２排紙トレイに対して前記排出ローラの反対側に配置され、正逆回転可能なスイッチバックローラであって、当該スイッチバックローラが正方向に回転しているときに、前記画像形成部を通過した記録シートを前記第２排紙トレイに向けて搬送し、当該スイッチバックローラが逆方向に回転しているときに、前記第２排紙トレイに向けて搬送した記録シートを、前記再搬送ガイド部へ搬送するように構成されるスイッチバックローラと、を備える。
前記本体筐体は、前記スイッチバックローラによって前記第２排紙トレイに向けて搬送される記録シートの搬送方向に延び、前記第２排紙トレイの記録シートの載置面から突出して、前記第２排紙トレイをその間に挟むように配置される一対の壁を有する。
【０００７】
この構成によれば、記録シートがどのような長さであっても一対の壁によって記録シートが幅方向に著しく傾いて搬送されるのを規制することができるので、記録シートのスイッチバックを安定して行うことができる。また、第２排紙トレイにノートや本などを置こうとした場合であっても、一対の壁がスペーサーとなり、ノートや本などが第２排紙トレイ上に置かれることが抑制されるので、記録シートの挙動を阻害することなくスイッチバックを安定して行うことができる。
【０００８】
また、前記した構成において、前記スイッチバックローラと前記第２排紙トレイとの間に配置され、前記スイッチバックローラから前記第２排紙トレイに向けて記録シートを案内するためのガイドをさらに備える場合には、前記ガイドは、前記スイッチバックローラの回転軸線方向から見て、前記壁と重なっていてもよい。
【０００９】
これによれば、ガイドで面がガイドされている記録シートの幅方向の端縁を、一対の壁によってガイドすることができる。
【００１０】
また、前記した構成において、前記一対の壁の上端は、前記ガイドの上端よりも上方に位置していてもよい。
【００１１】
また、前記した構成において、前記本体筐体は、前記スイッチバックローラの上方に配置される第３排紙トレイを有し、前記ガイドは、前記記録シートを前記第２排紙トレイに搬送するための第１位置と、前記記録シートを前記第３排紙トレイに搬送するための第２位置とに変位可能であってもよい。
【００１２】
これによれば、スイッチバックローラによって上方に排出された記録シートを第３排紙トレイによって立てた状態で支持することができるので、記録シートを上方から取り出すことができ、ユーザの記録シートの回収作業を容易にすることができる。
【００１３】
また、前記した構成において、前記第３排紙トレイは、鉛直方向に延びていてもよい。
【００１４】
また、前記した構成において、前記第３排紙トレイの上部は、鉛直方向に対して傾斜していてもよい。
【００１５】
また、前記した構成において、前記ガイドは、櫛歯形状部を有し、前記第３排紙トレイは、前記ガイドの前記櫛歯形状部が入り込む複数のスリットを有していてもよい。
【００１６】
これによれば、第３排紙トレイをスイッチバックローラ近傍まで近づけることができるので、スイッチバックローラから第３排紙トレイに記録シートを良好に排出することができる。
【００１７】
また、前記した構成において、原稿を読み取るための読取部をさらに備える場合には、前記読取部は、前記一対の壁で支持されていてもよい。
【００１８】
これによれば、スイッチバック中の記録シートを読取部によって覆うことができるので、スイッチバック中の記録シートをユーザが誤って掴んでしまうのを抑えることができる。また、第２排紙トレイにノートや本などの物を置かれる心配がない。
【００１９】
また、前記した構成において、前記読取部と前記第２排紙トレイとの間に、前記一対の壁を連結する連結壁を備え、前記連結壁には、前記一対の壁に沿う方向に空気を通過させるための開口を備えてもよい。
【００２０】
これによれば、第２排紙トレイと読取部との間を風が通り抜けやすくなるので、第２排紙トレイ上でスイッチバックする記録シートを冷却することができる。
【００２１】
また、前記した構成において、前記壁の前記搬送方向における下流端は、前記排出ローラに対して前記第１排紙トレイ側にあってもよい。
【００２２】
これによれば、一対の壁によって記録シートが幅方向に傾くのをより良好に規制することができる。
【００２３】
なお、前記壁の前記載置面からの高さは、１０ｍｍ以上１００ｍｍ以下であってもよいし、２０ｍｍ以上８０ｍｍ以下であってもよい。また、前記壁の前記搬送方向における長さは、２０ｍｍ以上２００ｍｍ以下であってもよいし、４０ｍｍ以上１６０ｍｍ以下であってもよい。
【００２４】
また、前記した構成において、前記第２排紙トレイは、前記搬送方向上流端に配置され、上方に突出する複数のリブを有していてもよい。
【００２５】
これによれば、記録シートをスイッチバックさせる際において複数のリブで記録シートが支持されるので、スイッチバック時における摩擦抵抗を減らすことができる。
【００２６】
また、前記した構成において、前記複数のリブは、それぞれ、その上面が水平方向に延びる第１部分と、前記第１部分の上面の前記搬送方向下流端から斜め下方に向けて傾斜する傾斜面を有する第２部分と、前記第１部分の上面の前記搬送方向上流端から下方に円弧状に屈曲して前記スイッチバックローラまで延びる面を有する第３部分と、を有していてもよい。
【００２７】
また、前記した構成において、前記ガイドは、回動軸と、前記回動軸の両端部から当該回動軸の径方向に向けて延びる一対の延出部と、各前記延出部の前記径方向の外側端部を繋ぐ連結部と、前記連結部から前記径方向に交差する方向に延びる複数のガイド部と、を有していてもよい。
【００２８】
また、前記した構成において、前記第２排紙トレイは、前記搬送方向における下流端から前記搬送方向における下流側に延び、上下方向から見たときに第１排紙トレイと重なる第２リブを備えていてもよい。
【００２９】
これによれば、長尺な記録シートの両面印字を行う時でも、第１排紙トレイに排出された記録シートに対しての干渉を低減することができ、第１排紙トレイから記録シートが落ちるのを防止することができる。
【００３０】
また、前記した構成において、前記第２リブは、前記排出ローラの軸方向において両側に配置されていてもよい。
【発明の効果】
【００３１】
本発明によれば、排出ローラとスイッチバックローラとを別々に設けた画像形成装置において、記録シートのスイッチバックを安定して行うことができる。
【図面の簡単な説明】
【００３２】
【図１】本発明の一実施形態に係る複合機の概略構成を示す図である。
【図２】読取装置と第１排紙トレイとを上方に揺動させた状態を示す図である。
【図３】本体筐体からプロセスカートリッジや手差しトレイユニットを外した状態を示す図である。
【図４】本体筐体にＡ４サイズ用の給紙トレイを装着した状態を示す図である。
【図５】後壁を後方に揺動させた状態を示す図（ａ）と、後壁の一部を拡大して示す拡大図（ｂ）である。
【図６】複合機を前方から見た図である。
【図７】Ｌ字状ガイドを前方から見た図（ａ）と、側方から見た図（ｂ）である。
【図８】画像形成装置の変形例であるプリンタを示す図である。
【図９】図８に示すプリンタの斜視図である。
【発明を実施するための形態】
【００３３】
次に、本発明の一実施形態について、適宜図面を参照しながら詳細に説明する。なお、以下の説明においては、まず、画像形成装置の一例としての複合機１の全体構成を説明した後、本発明の特徴部分を詳細に説明することとする。
【００３４】
以下の説明において、方向は、複合機１の使用時のユーザを基準にした方向で説明する。すなわち、図１において、紙面に向かって右側を「前側（手前側）」、紙面に向かって左側を「後側（奥側）」とし、紙面に向かって奥側を「右側」、紙面に向かって手前側を「左側」とする。また、紙面に向かって上下方向を「上下方向」とする。
【００３５】
＜複合機の概略構成＞
図１に示すように、複合機１は、本体筐体２と、読取部の一例としての読取装置１０とを備えている。また、複合機１は、本体筐体２内に、記録シートの一例としての用紙Ｐを供給するフィーダ部３と、給紙された用紙Ｐに画像を形成する画像形成部４とを主に備えている。
【００３６】
本体筐体２は、前壁２Ｆと、後壁２Ｒと、上壁２Ｕと、上壁２Ｕの左右に配置される一対の壁の一例としての２つのサイドフレーム２Ｓとを備えている。上壁２Ｕの前側部分は、用紙Ｐを下から支持する載置面２１Ｆを有する第１排紙トレイ２１となっており、後側部分は、用紙Ｐを下から支持する載置面２２Ｆを有する第２排紙トレイ２２となっている。後壁２Ｒの上部は、用紙Ｐを後から支持する第３排紙トレイ２３となっている。なお、本体筐体２の構造の詳細については、後述する。
【００３７】
読取装置１０は、公知の構成を有するフラットベッドスキャナであり、複写の際には、原稿に光を照射して画像を読み取ることで画像データを作成する。この読取装置１０は、第２排紙トレイ２２との間に空間が形成されるように当該第２排紙トレイ２２よりも上方に配置されており、その左右方向の端部が左右のサイドフレーム２Ｓによって支持されている（図６参照）。
【００３８】
詳しくは、読取装置１０は、その後端部が回動軸１１を介して各サイドフレーム２Ｓに回動可能に支持されている。これにより、読取装置１０は、その前端部が回動軸１１を中心にして上下に揺動可能となっている（図２参照）。なお、サイドフレーム２Ｓには、読取装置１０を上方に揺動させたときに、第１排紙トレイ２１と係合して第１排紙トレイ２１を保持する、弾性体からなるストッパＳＴが設けられている。これにより、上方に揺動された読取装置１０は、ストッパＳＴによって第１排紙トレイ２１を介して支持されることで、その位置に保持されるようになっている。
【００３９】
フィーダ部３は、本体筐体２の下方に位置し、用紙Ｐを載置するための給紙トレイ３１と、給紙トレイ３１内の用紙Ｐを１枚ずつ画像形成部４へ供給するための給紙機構３２とを備えている。なお、本体筐体２の下部には、Ａ４サイズなどの所定の長さ以下の用紙Ｐを収容するタイプの給紙トレイ３１Ａ（図１参照）と、Ａ３サイズなどの所定の長さよりも長い用紙Ｐを収容するための大型の給紙トレイ３１Ｂ（図４参照）とが着脱可能となっている。
【００４０】
画像形成部４は、スキャナユニット５と、プロセスカートリッジ６と、定着装置７とを備えている。
【００４１】
スキャナユニット５は、本体筐体２内の前側に設けられ、図示しないレーザ発光部、ポリゴンミラー、レンズおよび反射鏡などを備えている。このスキャナユニット５では、レーザビームを、感光ドラム６１の表面上に高速走査にて照射する。
【００４２】
プロセスカートリッジ６は、スキャナユニット５の後方に配置されており、主に、感光ドラム６１、転写ローラ６２、帯電器６３、現像ローラ６４、供給ローラ６５およびトナー収容室６６などを備えている。
【００４３】
このプロセスカートリッジ６では、回転する感光ドラム６１の表面が、帯電器により一様に帯電された後、スキャナユニット５からのレーザビームの高速走査により露光される。これにより、露光された部分の電位が下がって、感光ドラム６１の表面に画像データに基づく静電潜像が形成される。
【００４４】
次いで、トナー収容室内のトナーが現像ローラによって感光ドラム６１の静電潜像に供給され、感光ドラム６１の表面上にトナー像が形成される。用紙Ｐは、給紙トレイ３１Ａから給紙機構３２によって１枚ずつ搬送され、搬送経路１３０に沿って、スキャナユニット５の下方から、複数の搬送ローラ対１３１によって、トナー収容室６６の下方に位置する最下部１３０Ａを経由し、レジストローラ対１３２を経て、その後、感光ドラム６１と転写ローラ６２の間で搬送される。これにより、感光ドラム６１の表面に担持されているトナー像が用紙Ｐ上に転写される。
【００４５】
定着装置７は、プロセスカートリッジ６の後斜め上方に配置されており、主に、加熱ローラ７１と、加圧ローラ７２と、搬送ローラ７３とを備えている。この定着装置７では、用紙Ｐ上に転写されたトナーを、用紙Ｐが加熱ローラ７１と加圧ローラ７２との間を通過する間に熱定着し、熱定着された用紙Ｐを搬送ローラ７３によって定着装置７外へ排出している。
【００４６】
定着装置７の用紙Ｐの搬送方向下流側には、画像形成部４（詳しくは定着装置７）から排出された用紙Ｐを第１排紙トレイ２１に排出する排出部の一例としての第１排出部８と、画像形成部４から排出された用紙Ｐを第２排紙トレイ２２または第３排紙トレイ２３に排出する第２排出部９とが設けられている。
【００４７】
第１排出部８は、第１排出経路８１と、排出ローラ８２と、第１排出口２４Ａと、前述した第１排紙トレイ２１とを備えている。第１排出経路８１は、搬送ローラ７３から上方へ延びた後、前方へ向けて延びるような略円弧状に形成されており、その最小曲率半径が第１曲率半径となっている。排出ローラ８２は、第１排出経路８１を通って搬送されてくる用紙Ｐを第１排出口２４Ａから第１排紙トレイ２１に向けて排出するローラであり、制御装置１００によって常時正方向（用紙Ｐを排出する方向）に回転するように制御されている。
【００４８】
第２排出部９は、第２排出経路９１と、スイッチバックローラ９２と、ガイドの一例としてのＬ字状ガイド９３と、前述した第２排紙トレイ２２および第３排紙トレイ２３とを備えている。第２排出経路９１は、搬送ローラ７３から後斜め上方に略直線状に延びるように形成されており、その最小曲率半径が前述した第１曲率半径よりも大きな第２曲率半径となっている。
【００４９】
スイッチバックローラ９２は、第２排出経路９１を通って搬送されてくる用紙Ｐを上方および下方の両方に搬送するために正逆回転可能なローラであり、前述した排出ローラ８２よりも後側に離れて配置されている。言い換えると、第２排紙トレイ２２の前端側には、排出ローラ８２が配置され、第２排紙トレイ２２に対して排出ローラ８２の反対側、つまり第２排紙トレイ２２の後端側には、スイッチバックローラ９２が配置されている。
【００５０】
Ｌ字状ガイド９３は、一部（ガイド部９３Ｄの一部）がスイッチバックローラ９２と第２排紙トレイ２２との間に配置され、スイッチバックローラ９２によって上方に搬送される用紙Ｐを、第２排紙トレイ２２に向かうように案内するガイドであり、サイドフレーム２Ｓ（本体筐体２）に揺動可能に支持されている。詳しくは、Ｌ字状ガイド９３は、用紙Ｐを第２排紙トレイ２２に搬送するための第１位置の一例としてのガイド位置（図１に示す位置）と、用紙Ｐを第３排紙トレイ２３に搬送するための第２位置の一例としての非ガイド位置（図５（ａ）に実線で示す位置）との間で揺動可能となっている。
【００５１】
より詳しくは、Ｌ字状ガイド９３は、ガイド位置においては、スイッチバックローラ９２から上方に向けて搬送される用紙Ｐに接触することで用紙Ｐを第２排紙トレイ２２に案内し、非ガイド位置においては、スイッチバックローラ９２から上方に向けて搬送される用紙Ｐの搬送経路から退避することで用紙Ｐが第３排紙トレイ２３に排出されるのを許容している。このようにＬ字状ガイド９３の位置を切り替えることで、用紙Ｐの排出先を、第２排紙トレイ２２または第３排紙トレイ２３に切り替えることが可能となっている。なお、Ｌ字状ガイド９３の構造の詳細は、後述する。
【００５２】
第１排出経路８１と第２排出経路９１との間には、用紙Ｐの排出経路を切り替えるための切替部材１１０が、サイドフレーム２Ｓ（本体筐体２）に揺動可能に設けられている。詳しくは、切替部材１１０は、用紙Ｐを第１排出経路８１に向けて案内するための第１案内位置（実線で示す位置）と、用紙Ｐを第２排出経路９１に向けて案内するための第２案内位置（破線で示す位置）との間で揺動可能となっている。
【００５３】
本体筐体２の後側には、画像形成部４から排出された用紙Ｐを表裏反転して再度画像形成部４に向けて搬送するように構成される再搬送ガイド部の一例としての再搬送機構１２０が設けられている。再搬送機構１２０は、前述したスイッチバックローラ９２、Ｌ字状ガイド９３、第２排紙トレイ２２および第３排紙トレイ２３を備える他、第２排出経路９１から感光ドラム６１と転写ローラ６２との間のニップ部の手前のレジストローラ対１３２に向けて延びる再搬送経路１２１とを備えている。再搬送経路１２１は、第２排出経路９１から、定着装置７の後側を通って下方に延びた後、定着装置７および感光ドラム６１の下側を通って前方に延び、その後感光ドラム６１と転写ローラ６２との間のニップ部の手前のレジストローラ対１３２に向けて後斜め上方に延びている。
【００５４】
制御装置１００は、ＣＰＵ、ＲＡＭ、ＲＯＭ、入出力回路などを備え、主に、前述した第１排出部８、第２排出部９および再搬送機構１２０を制御するように構成されている。詳しくは、制御装置１００は、切替部材１１０やＬ字状ガイド９３の位置を切り替えるための切替制御と、排出ローラ８２やスイッチバックローラ９２の回転を制御するための回転制御を実行可能となっている。特に、制御装置１００は、スイッチバックローラ９２を制御する場合には、スイッチバックローラ９２による用紙Ｐの上方への搬送中にスイッチバックローラ９２の回転方向を切り替えることで用紙Ｐを下方へスイッチバックさせるスイッチバック制御と、スイッチバックローラ９２を正方向（用紙Ｐを排出する方向）に回転させ続けることで用紙Ｐの全体を第２排紙トレイ２２または第３排紙トレイ２３に排出する排出制御とを実行可能となっている。
【００５５】
より詳しくは、制御装置１００は、図４に示すように、第１排紙トレイ２１に用紙Ｐ１を排出する場合には、切替部材１１０を第１案内位置（実線の位置）に位置させるとともに、排出ローラ８２を正方向（用紙Ｐを排出する方向）に回転させる。また、制御装置１００は、第２排紙トレイ２２に用紙Ｐ２を排出する場合には、切替部材１１０を第２案内位置（破線の位置）に位置させるとともに、Ｌ字状ガイド９３をガイド位置（実線の位置）に位置させ、スイッチバックローラ９２を正方向（用紙Ｐを排出する方向）に回転させる。
【００５６】
なお、この図４に示すように、第２排紙トレイ２２には、Ａ３サイズなどの長い用紙Ｐ２を排出するのが好ましい。これによれば、Ａ３サイズなどの長い用紙Ｐ２を、第２排紙トレイ２２と第１排紙トレイ２１とで良好に支持することができる。
【００５７】
また、制御装置１００は、第３排紙トレイ２３に用紙Ｐ３を排出する場合には、切替部材１１０を第２案内位置（破線の位置）に位置させるとともに、Ｌ字状ガイド９３を非ガイド位置（破線の位置）に位置させ、スイッチバックローラ９２を正方向（用紙Ｐを排出する方向）に回転させる。また、制御装置１００は、画像形成部４で片面が印刷された用紙Ｐを再度画像形成部４に再搬送する場合には、切替部材１１０を第２案内位置に位置させるとともに、Ｌ字状ガイド９３をガイド位置または非ガイド位置に位置させ、スイッチバックローラ９２を正方向に回転させることで片面が印刷された用紙Ｐを一旦第２排紙トレイ２２または第３排紙トレイ２３に向けて搬送した後、用紙Ｐがスイッチバックローラ９２から外れる前に、スイッチバックローラ９２を逆方向に回転させる。
【００５８】
＜本体筐体とＬ字状ガイドの構造＞
次に、本体筐体２とＬ字状ガイド９３の構造の詳細を説明する。
図１に示すように、本体筐体２の上壁２Ｕは、第１排紙トレイ２１と、第２排紙トレイ２２と、第１排紙トレイ２１と第２排紙トレイ２２とを繋ぐ縦壁２４とを有している。
【００５９】
第１排紙トレイ２１は、前後方向の長さが本体筐体２の前後方向の長さの半分以上（約２／３程度）の長さとなっており、縦壁２４の下端部から前斜め上方に向けて延びるように形成されている。第１排紙トレイ２１の後端部は、回動軸２１Ａを介して縦壁２４またはサイドフレーム２Ｓに回動可能に支持されている。
【００６０】
これにより、第１排紙トレイ２１が、図１に示す閉位置と、図２に示す開位置との間で揺動可能となっている。なお、第１排紙トレイ２１を開位置に位置させた場合には、本体筐体２の上部前側にプロセスカートリッジ６を着脱するための開口２Ａ（図２および図３参照）が形成されるようになっている。
【００６１】
縦壁２４は、その左右方向の各端部が各サイドフレーム２Ｓに支持されており、その上部には、用紙Ｐを本体筐体２外に排出するための第１排出口２４Ａ（図６も参照）が形成されている。
【００６２】
第２排紙トレイ２２は、前後方向の長さが本体筐体２の前後方向の長さの半分以下（約１／３程度）の長さとなっており、縦壁２４の上端部から後方に水平に延びるように形成されることで第１排紙トレイ２１よりも上方の位置に配置されている。第２排紙トレイ２２は、その左右方向の各端部が各サイドフレーム２Ｓに支持されている。
【００６３】
第２排紙トレイ２２の前端２２Ｂには、前端２２Ｂから前方に延び、上下方向から見たときに第１排紙トレイ２１と重なる第２リブ２２Ｃが設けられている。第２リブ２２Ｃは、図９に示すように、第２排紙トレイ２２の左右方向（排出ローラ８２の軸方向）の両側に設けられ、前方に向かうにつれて左右方向外側に徐々に幅狭となるような平面視三角形状に形成されている。なお、図９は、本実施形態とは別の形態を示す図であるが、第２リブ２２Ｃの形状は同一であるため、本実施形態における第２リブ２２Ｃの説明もこの図９を用いて行うこととした。
【００６４】
このように第２リブ２２Ｃを設けることにより、長尺な用紙Ｐ（例えばＡ３サイズの用紙Ｐ）の両面印字を行う時でも、第１排紙トレイ２１に排出された用紙Ｐに対して第２排紙トレイ２２上の用紙Ｐが干渉するのを低減することができるので、第２排紙トレイ２２から垂れ下がった用紙Ｐの先端により第１排紙トレイ２１上の用紙Ｐが押されて第１排紙トレイ２１から落ちるのを防止することができる。
【００６５】
第２排紙トレイ２２の後端部には、用紙Ｐを支持するための複数のリブ２２Ａ（図６参照）が第２排紙トレイ２２の上面から上方に突出するように形成されている。各リブ２２Ａは、上面が前後方向に沿って水平に延びる第１部分と、第１部分の上面の前端から前斜め下方に向けて傾斜する傾斜面を有する第２部分と、第１部分の上面の後端から下方に円弧状に屈曲してスイッチバックローラ９２まで延びる面を有する第３部分とを有している。
【００６６】
このように複数のリブ２２Ａを設けることで、用紙Ｐをスイッチバックさせる際において複数のリブ２２Ａで用紙Ｐが支持されるので、スイッチバック時における摩擦抵抗を減らすことができる。なお、本明細書における「排紙トレイ」とは、排紙された用紙を支持するトレイに限らず、両面印字時にスイッチバックローラで用紙を再搬送路に搬送するときに一時的に用紙を保持するものも含む。
【００６７】
サイドフレーム２Ｓは、中空の略直方体状に形成されており（図６参照）、前後方向において第１排紙トレイ２１の前端付近の位置から第２排紙トレイ２２の後端の位置まで延びるとともに、第１排紙トレイ２１の載置面２１Ｆおよび第２排紙トレイ２２の載置面２２Ｆよりも上方に突出するように形成されている。より詳しくは、サイドフレーム２Ｓの上端は、Ｌ字状ガイド９３よりも上方に位置している。サイドフレーム２Ｓのうち載置面２２Ｆよりも上方に突出する部分は、第２排紙トレイ２２をその間に挟むように配置され、スイッチバックローラ９２によって第２排紙トレイ２２に向けて搬送される用紙Ｐの搬送方向に延びている。
【００６８】
なお、サイドフレーム２Ｓのうち載置面２２Ｆよりも上方に突出する部分の載置面２２Ｆからの高さは、１０ｍｍ以上１００ｍｍ以下であってもよいし、２０ｍｍ以上８０ｍｍ以下であってもよい。また、サイドフレーム２Ｓのうち載置面２２Ｆよりも上方に突出する部分の搬送方向における長さは、２０ｍｍ以上２００ｍｍ以下であってもよいし、４０ｍｍ以上１６０ｍｍ以下であってもよい。
【００６９】
そして、各サイドフレーム２Ｓの左右方向内側の内面Ｓ１（各排紙トレイ２１，２２よりも上方に突出する部分）同士の間隔は、用紙Ｐの幅（複合機１で印刷可能な用紙のうち最大幅となる用紙の幅）よりも若干大きくなっている。これにより、第１排紙トレイ２１や第２排紙トレイ２２に排紙された用紙Ｐの幅方向の端縁を、各サイドフレーム２Ｓの内面Ｓ１によって横にはみ出すことがないように規制することが可能となっている。
【００７０】
また、内面Ｓ１は、スイッチバックローラ９２の回転軸線方向から見て、Ｌ字状ガイド９３と重なっている。これにより、Ｌ字状ガイド９３で面がガイドされている用紙Ｐの幅方向の端縁を、内面Ｓ１によってガイドすることが可能となっている。
【００７１】
図７（ａ），（ｂ）に示すように、Ｌ字状ガイド９３は、左右方向に延びる回動軸部９３Ａと、回動軸部９３Ａの左右両端部から上方（回動軸部９３Ａの径方向）に向けて延びる一対の延出部９３Ｂと、各延出部９３Ｂの上端同士を繋ぐ連結部９３Ｃと、連結部９３Ｃに設けられる複数のガイド部９３Ｄとを有している。なお、Ｌ字状ガイド９３の説明において、方向は、Ｌ字状ガイド９３がガイド位置であるときの方向とする。
【００７２】
回動軸部９３Ａの左右方向における一端部には、図示せぬモータ等の駆動源から駆動力が入力される駆動ギヤ９３Ｅが設けられている。これにより、制御装置１００がモータ等を制御することで、Ｌ字状ガイド９３がガイド位置と非ガイド位置とに適宜切り替えられるようになっている。図１に示すように、回動軸部９３Ａは、再搬送経路１２１の上端部よりも下側に配置され、左右のサイドフレーム２Ｓに回動可能に支持されている。
【００７３】
各延出部９３Ｂは、回動軸部９３Ａから再搬送経路１２１および前後一対のスイッチバックローラ９２のうち後側のローラの左右方向外側を通ってスイッチバックローラ９２よりも上方に突出するように配置されている。連結部９３Ｃは、前後一対のスイッチバックローラ９２の後側のローラの上方に配置されている。
【００７４】
つまり、回動軸部９３Ａ、一対の延出部９３Ｂおよび連結部９３Ｃによって矩形の枠が形成されており、これにより、図５（ａ）に示すように、ガイド位置と非ガイド位置との間で揺動するＬ字状ガイド９３が、スイッチバックローラ９２や再搬送経路１２１に干渉するのを抑えることが可能となっている。また、用紙Ｐをスイッチバックさせる際において、再搬送経路１２１の上部に侵入してくる用紙Ｐが、回動軸部９３Ａ、一対の延出部９３Ｂおよび連結部９３Ｃによって構成される枠内を通ることで、用紙ＰがＬ字状ガイド９３に干渉するのを抑えることが可能となっている。
【００７５】
図７（ａ）に示すように、ガイド部９３Ｄは、連結部９３Ｃ上に左右に間隔を空けて複数設けられており、全体として櫛歯形状部となっている。図７（ｂ）に示すように、ガイド部９３Ｄは、連結部９３Ｃから上方に延びた後、前方に向けて円弧状に湾曲し、その後前方に水平に延びる外壁部９３Ｆと、外壁部９３Ｆの内面に沿って形成され、当該内面から内側に向けて突出するガイドリブ９３Ｇとを有している。
【００７６】
なお、図７（ａ）に示すように、複数のガイド部９３Ｄのうち最も左右方向外側にあるガイド部９３Ｈは、内側のガイド部９３Ｄの外壁部９３Ｆよりも左右の幅が短い外壁部９３Ｊと、内側のガイド部９３Ｄと同様のガイドリブ９３Ｇとを有している。
【００７７】
図１および図６に示すように、ガイド部９３Ｄの前側部分は、上下方向から見て第２排紙トレイ２２と重なっており、リブ２２Ａよりも上方に配置されている。また、各ガイドリブ９３Ｇは、各リブ２２Ａに対して左右方向でずれた位置に配置されている。これにより、各ガイドリブ９３Ｇと各リブ２２Ａとによって用紙Ｐを良好に案内することが可能となっている。
【００７８】
図５（ａ）に示すように、本体筐体２の後壁２Ｒは、前後一対のスイッチバックローラ９２のうち後側のローラと再搬送経路１２１の一部とともに、下端部を中心にして前後に揺動可能となっている。これにより、スイッチバックローラ９２や再搬送経路１２１で詰まった用紙Ｐを、後壁２Ｒを開けることで、容易に取り出すことが可能となっている。なお、以下に示す後壁２Ｒの説明における方向は、後壁２Ｒを閉じた状態における方向とする。
【００７９】
後壁２Ｒは、上下方向に延びる第１壁部Ｒ１と、第１壁部Ｒ１から前方に向けて延びる第２壁部Ｒ２と、第２壁部Ｒ２の前端から上方に向けて延びる第３壁部Ｒ３と、第３壁部Ｒ３の上端部に揺動可能に設けられる第４壁部Ｒ４と、第４壁部Ｒ４の上端部から前斜め上方に延びる第５壁部Ｒ５とを有している。
【００８０】
第１壁部Ｒ１は、後壁２Ｒの揺動中心となる第１回動軸Ｒ１１から上方に向けて延び、第２壁部Ｒ２は、第１壁部Ｒ１の上端部から前後一対のスイッチバックローラ９２の後側のローラの上方の位置まで延びている。第３壁部Ｒ３は、第２壁部Ｒ２の前端部から読取装置１０の下面近傍まで延びている。
【００８１】
第３壁部Ｒ３の上部の前側には、スイッチバックローラ９２から第３排紙トレイ２３に向けて排出された用紙Ｐが前側に折れ曲がって第２排紙トレイ２２側に向かうのを抑えるための連結壁の一例としての用紙ガイドＲ７が設けられている。用紙ガイドＲ７は、記読取装置１０と第２排紙トレイ２２との間に配置されて、一対のサイドフレーム２Ｓを連結する壁であり、ガイド部９３Ｄよりも上方に間隔を空けて配置されることで、第２排紙トレイ２２との間に、一対のサイドフレーム２Ｓに沿う方向に空気を通過させるための開口ＡＰが形成されている。詳しくは、用紙ガイドＲ７は、上下方向に延びる基部Ｒ７１と、基部Ｒ７１の下端から前斜め下方に向けて延びる傾斜部Ｒ７２と、傾斜部Ｒ７２の下方に形成される開口ＡＰとを有している。
【００８２】
図５（ａ），（ｂ）に示すように、第２壁部Ｒ２と第３壁部Ｒ３には、本体筐体２の内側から外側に貫通するスリットＲ６（図６も参照）が左右方向に間隔を空けて複数形成されている。複数のスリットＲ６内には、前述した複数のガイド部９３Ｄが入り込んでおり、これにより、各ガイド部９３Ｄが後壁２Ｒに干渉することなく揺動可能となっている。
【００８３】
また、スリットＲ６は、ガイド位置に位置するガイド部９３Ｄよりも上方に延びている。これにより、読取装置１０と本体筐体２との間に、前側から後側に抜ける空間が形成されるようになっている。詳しくは、第１排紙トレイ２１の前端と読取装置１０の前端との間から後側に向けて空気が入り込んだ場合には、この空気は、第２排紙トレイ２２と読取装置１０との間や、ガイド部９３Ｄと用紙ガイドＲ７との間や、複数のスリットＲ６を通って後側に抜けるようになっている。
【００８４】
第４壁部Ｒ４は、第２回動軸Ｒ１２を介して第３壁部Ｒ３の上端部に連結されている。これにより、図２に示すように、読取装置１０の前端部を持ち上げたときに、読取装置１０の後端部が第４壁部Ｒ４に当接しても、第４壁部Ｒ４が第２回動軸Ｒ１２を中心に後方に倒れるので、読取装置１０から後壁２Ｒにかかる負荷を軽減することが可能となっている。
【００８５】
図５（ａ），（ｂ）に戻って、第４壁部Ｒ４と第３壁部Ｒ３との間には、第４壁部Ｒ４と第３壁部Ｒ３とが真っ直ぐ並ぶような姿勢（図５（ａ）に示す姿勢）となるように各壁部Ｒ４，Ｒ３を付勢するトーションバネＲ８が設けられている。これにより、読取装置１０に押圧されることにより後方に揺動した第４壁部Ｒ４（図２参照）が、読取装置１０を元の位置に戻したときに、トーションバネＲ８の付勢力により元の位置に戻るようになっている。
【００８６】
また、前述した第３排紙トレイ２３は、鉛直方向に延びており、主に、第３壁部Ｒ３、第４壁部Ｒ４および第５壁部Ｒ５によって構成されている。つまり、第３排紙トレイ２３は、前後一対のスイッチバックローラ９２の後側のローラの上方の位置から上方に向けて延びており、その上部（第５壁部Ｒ５）が前側に傾斜している。
【００８７】
図３に示すように、本体筐体２の前壁２Ｆの一部は、本体筐体２に対して着脱可能となる手差しトレイユニット２００となっている。手差しトレイユニット２００は、本体筐体２に着脱可能な基体２１０と、基体２１０に対して揺動可能な手差しトレイ２２０と、手差しトレイ２２０上に載置された用紙Ｐを画像形成部４に向けて給紙するための手差し用給紙機構２３０とを備えている。このように手差しトレイユニット２００が本体筐体２に着脱可能となることで、手差しトレイユニット２００付近で詰まった用紙Ｐを簡単に取り出すことが可能となっている。
【００８８】
次に、本実施形態に係る複合機１による印刷方法の具体例を説明する。なお、制御装置１００によるフィーダ部３や画像形成部４等の制御は、公知の制御であるので、説明は省略する。
【００８９】
図１に示すように、例えばＡ４サイズの用紙Ｐを片面印刷する場合には、ユーザは、Ａ４サイズ用の給紙トレイ３１Ａを本体筐体２にセットし、パソコン等から印刷指令を制御装置１００に出力させる。制御装置１００は、印刷指令を受けると、切替部材１１０を第１案内位置（実線の位置）に位置させるとともに、排出ローラ８２を正方向に回転させる。これにより、給紙トレイ３１Ａ内の用紙Ｐが、画像形成部４で画像形成された後、切替部材１１０で第１排出経路８１に案内されて、第１排紙トレイ２１に排紙される。
【００９０】
また、用紙Ｐを両面印刷する場合には、制御装置１００は、印刷指令を受けると、まず、切替部材１１０を第２案内位置（図１の破線の位置）に位置させるとともに、Ｌ字状ガイド９３をガイド位置（図１の位置）に位置させ、スイッチバックローラ９２を正方向に回転させる。これにより、給紙トレイ３１Ａ内の用紙Ｐが、画像形成部４で画像形成された後、切替部材１１０で第２排出経路９１に案内される。用紙Ｐ２が第２排出経路９１を通ってスイッチバックローラ９２に到達すると、スイッチバックローラ９２によって用紙Ｐが上方に搬送され、その後、Ｌ字状ガイド９３によって前方に曲げられて第２排紙トレイ２２に向けて案内される。そして、第２排紙トレイ２２上に送り出された用紙Ｐは、その左右の端部が左右のサイドフレーム２Ｓによって大きく斜行することを防止されて搬送される。
【００９１】
その後、制御装置１００は、スイッチバックローラ９２から用紙Ｐが完全に外れる前に、スイッチバックローラ９２を逆方向に回転させる。これにより、用紙Ｐは、左右の端部が左右のサイドフレーム２Ｓでガイドされながらスイッチバックされ、再搬送経路１２１に向けて搬送される。
【００９２】
その後、制御装置１００は、スイッチバックローラ９２から用紙Ｐが完全に外れた後、スイッチバックローラ９２を正方向に回転させる。これにより、再搬送経路１２１を通って再度画像形成部４に送られた用紙Ｐは、裏面に画像が形成された後、第２排出経路９１を通って第２排紙トレイ２２上に排紙される。
【００９３】
図４に示すように、例えばＡ３サイズの用紙Ｐ２を片面印刷する場合には、ユーザは、Ａ３サイズ用の給紙トレイ３１Ｂを本体筐体２にセットし、パソコン等から印刷指令を制御装置１００に出力させる。制御装置１００は、印刷指令を受けると、切替部材１１０を第２案内位置（破線の位置）に位置させるとともに、Ｌ字状ガイド９３をガイド位置（実線の位置）に位置させ、スイッチバックローラ９２を正方向に回転させる。これにより、給紙トレイ３１Ｂ内の用紙Ｐ２が、画像形成部４で画像形成された後、切替部材１１０で第２排出経路９１に案内される。用紙Ｐ２が第２排出経路９１を通ってスイッチバックローラ９２に到達すると、スイッチバックローラ９２によって用紙Ｐが上方に搬送され、その後、Ｌ字状ガイド９３によって前方に曲げられて第２排紙トレイ２２に向けて排出される。
また、Ａ３サイズの用紙Ｐ２の両面印刷をする場合は、先端部が本体筐体２の設置面に達して汚れてしまうが、Ａ３サイズのように長尺な用紙に両面印字を行う場合でも、図４のＰ２に示すように、用紙Ｐの先端部が設置面に到達して、用紙Ｐが汚れてしまうなどの不具合が発生することを防止することができる。つまり、図４のＰ２に示すように、用紙Ｐの先端部が設置面に到達する前に、スイッチバックローラ９２を逆方向に回転させることで、用紙Ｐ２の先端部が設置面に到達して汚れてしまうのを抑えることができる。
【００９４】
また、例えばハガキなどの厚紙の用紙Ｐ３を片面印刷する場合には、ユーザは、手差しトレイ２２０を下方に倒して、手差しトレイ２２０上に用紙Ｐ３をセットし、パソコン等から印刷指令を制御装置１００に出力させる。制御装置１００は、印刷指令を受けると、まず、切替部材１１０を第２案内位置（破線の位置）に位置させるとともに、Ｌ字状ガイド９３を非ガイド位置（破線の位置）に位置させ、スイッチバックローラ９２を正方向に回転させる。
【００９５】
これにより、手差しトレイ２２０上の用紙Ｐ３が、画像形成部４で画像形成された後、切替部材１１０で第２排出経路９１に案内される。用紙Ｐが第２排出経路９１を通ってスイッチバックローラ９２に到達すると、スイッチバックローラ９２によって用紙Ｐが上方に搬送され、そのまま上方の第３排紙トレイ２３に排出される。なお、このように手差しトレイ２２０から第３排紙トレイ２３に用紙Ｐ３を搬送すると、その搬送経路上に曲率半径の小さい箇所がほとんどないので、厚紙等の用紙Ｐ３が折れ曲がるのを抑えることが可能となっている。
【００９６】
なお、前述した印刷方法は一例であり、本実施形態に係る複合機１では様々な印刷方法で用紙Ｐを印刷することができる。
例えば、用紙Ｐを両面印刷する際に、Ｌ字状ガイド９３を非ガイド位置に位置させることで、スイッチバック中における用紙Ｐの支持を第３排紙トレイ２３で行うようにしてもよい。また、スイッチバック中における用紙Ｐの支持を第２排紙トレイ２２または第３排紙トレイ２３で行った後、切替部材１１０を第１案内位置に位置させることで、両面印刷が完了した用紙Ｐを第１排紙トレイ２１上に排出してもよい。
【００９７】
以上によれば、本実施形態において以下のような効果を得ることができる。
スイッチバック中に第２排紙トレイ２２で支持される用紙Ｐの幅方向の端部が左右のサイドフレーム２Ｓによって制限されるので、用紙Ｐがどのような長さであっても用紙Ｐが幅方向に大きく傾くのを規制することができ、用紙Ｐのスイッチバックを安定して行うことができる。
【００９８】
読取装置１０が、第２排紙トレイ２２よりも上方に配置されて各サイドフレーム２Ｓで支持されているので、スイッチバック中の用紙Ｐを読取装置１０によって覆うことができ、スイッチバック中の用紙Ｐをユーザが誤って掴んでしまうのを抑えることができる。
また、第２排紙トレイ２２に物を置いて、スイッチバック中の用紙が引っかかってしまう等の不具合を防止することができる。
【００９９】
Ｌ字状ガイド９３が用紙Ｐの幅方向から見てサイドフレーム２Ｓと重なっているので、Ｌ字状ガイド９３で面がガイドされている用紙Ｐの幅方向の端縁を、サイドフレーム２Ｓによってガイドすることができる。
【０１００】
読取装置１０と第２排紙トレイ２２との間に設けた連結壁としての用紙ガイドＲ７に開口ＡＰを設けることで、読取装置１０と第２排紙トレイ２２との間を風が通り抜けやすくなるので、第２排紙トレイ２２上でスイッチバックする用紙Ｐを冷却することができる。
【０１０１】
スイッチバックローラ９２によって上方に排出された用紙Ｐを第３排紙トレイ２３によって立てた状態で支持することができるので、用紙Ｐを上方から取り出すことができ、ユーザの用紙Ｐの回収作業を容易にすることができる。
また、この時、図４に示すように、装置前方から排出された用紙Ｐを確認することができる。
【０１０２】
第３排紙トレイ２３の上部が前側に傾斜することで、第３排紙トレイ２３で支持される用紙Ｐが前側に向けて倒されるので、ユーザの用紙Ｐの回収作業をより容易にすることができる。
【０１０３】
第３排紙トレイ２３に、Ｌ字状ガイド９３の各ガイド部９３Ｄ（櫛歯形状部）が入り込む複数のスリットＲ６を形成することで、第３排紙トレイ２３をスイッチバックローラ９２近傍まで近づけることができるので、スイッチバックローラ９２から第３排紙トレイ２３に用紙Ｐを良好に排出することができる。
【０１０４】
なお、本発明は前記実施形態に限定されることなく、以下に例示するように様々な形態で利用できる。以下の説明においては、前記実施形態と略同様の構造となる部材には同一の符号を付し、その説明は省略する。
【０１０５】
前記実施形態では、画像形成装置の一例として複合機１を例示したが、本発明はこれに限定されず、画像形成装置としては、例えば図８および図９に示すような、読取装置１０が設けられていないプリンタ３００であってもよい。このようなプリンタ３００では、読取装置１０をサイドフレーム２Ｓで支持する必要がないので、サイドフレームＳＦを構成する一部の壁ＳＦ１をサイドフレームＳＦの上面から突出させ、この壁ＳＦ１を一対の壁として利用するようにしてもよい。
この場合、プリンタ３００の第２排紙トレイ２２に本などを載せてしまうことが考えられるが、本などはＬ字状ガイド９３と壁ＳＬ１とによって第２排紙トレイ２２から離れた状態で支持される、つまりＬ字状ガイド９３と壁ＳＦ１がスペーサーとなるので、スイッチバックしている用紙の挙動を阻害しない。
【０１０６】
また、図８および図９に示すように、プリンタ３００に、第３排紙トレイ２３を設けなくてもよい。なお、このように第３排紙トレイ２３をなくした場合には、Ｌ字状ガイド９３のガイド部９３１を、前記実施形態のような櫛歯状のガイド部９３Ｄではなく、左右方向に延びる板状の外壁部９３Ｋと、複数のガイドリブ９３Ｇとで構成してもよい。
【０１０７】
前記実施形態では、内面Ｓ１をＬ字状ガイド９３と重なる位置まで形成しているが、本発明はこれに限定されず、内面Ｓ１は、少なくともＬ字状ガイド９３の前端（Ｌ字状ガイド９３と第２排紙トレイ２２との間に形成される用紙Ｐの出口）よりも前側（用紙Ｐの搬送方向下流側）に設けられていればよい。このように内面Ｓ１をＬ字状ガイド９３の前端よりも前側に設けることで、第２排紙トレイ２２で支持している用紙Ｐが幅方向に動くのを内面Ｓ１で抑えることができる。
【０１０８】
前記実施形態では、第２排出部９にＬ字状ガイド９３や２つの排紙トレイ２２，２３を設けることで、第２排出部９を２つの排紙トレイ２２，２３に選択的に用紙Ｐを排出するように構成したが、本発明はこれに限定されるものではない。例えば、前記実施形態の構成からＬ字状ガイド９３を取り除いたり、第２排紙トレイ２２に用紙Ｐを送るための開口を塞いだりすることで、第２排出部９が上方の第３排紙トレイ２３だけに用紙Ｐを送るように構成されていてもよい。
【０１０９】
前記実施形態では、記録シートの一例として、厚紙、はがき、薄紙などの用紙Ｐを例示したが、本発明はこれに限定されず、例えばＯＨＰシートであってもよい。
【０１１０】
前記実施形態では、サイドフレーム２Ｓの前端（第２排紙トレイ２２上に排出される用紙の搬送方向における下流端）を、第１排紙トレイ２１の前端と略同じ位置に配置したが、本発明はこれに限定されず、どのような位置であってもよいが、用紙の幅方向への傾きを抑えるには、排出ローラに対して第１排紙トレイ側となる位置に配置するのがよい。
【符号の説明】
【０１１１】
１      複合機
２      本体筐体
２Ｓ    サイドフレーム
４      画像形成部
８      第１排出部
２１    第１排紙トレイ
２２    第２排紙トレイ
８２    排出ローラ
９２    スイッチバックローラ
９３    Ｌ字状ガイド
９３Ｄ  ガイド部
１００  制御装置
１２０  再搬送機構
Ｐ      用紙
【図１】
2016080907.tif 000003
【図２】
2016080907.tif 000004
【図３】
2016080907.tif 000005
【図４】
2016080907.tif 000006
【図５】
2016080907.tif 000007
【図６】
2016080907.tif 000008
【図７】
2016080907.tif 000009
【図８】
2016080907.tif 000010
【図９】
2016080907.tif 000011